(57)【特許請求の範囲】
【請求項１】
ベース部材に固定されたスイッチと、スイッチを操作するための操作体と、スイッチを覆うカバーとを備え、操作体およびカバーは、ベース部材に取り付けられ、カバーは操作体を覆うように設けられ、操作体は、スイッチに対向して配置され、操作体の一部が、外部から操作可能なように、カバーを貫通して外部に突出し、操作体とカバーとをつなぐ連係部が設けられ、
連係部は、衝撃によってカバーが移動したとき、操作体とカバーとを当接させて、操作体の動きとカバーの動きとを同調させて、両者を一体的に移動可能、かつ、操作体に設けられた被係合部と、カバーに設けられた係合部とからなり、カバーが操作体を覆うように設置されるときに、係合部が被係合部に係合し、
スイッチは接触式スイッチとされ、操作体は、スイッチのアクチュエータに接触可能とされ、スイッチのアクチュエータに接触するボタンと、ボタンを移動方向に移動可能に保持する保持体とからなり、保持体がベース部材に取り付けられ、保持体に、カバーに向かって被係合部が形成され、カバーに、保持体に向かって係合部が形成され、係合部に被係合部が嵌まり込み、
ボタンは、カバーに形成された操作孔を貫通して外部に突出し、カバーを操作体を覆うように設置するとき、ボタンが操作孔に入るよりも先に被係合部と係合部とが接触するように、被係合部および係合部の高さがそれぞれ設定されたことを特徴とするスイッチ構造。
【請求項２】
被係合部が凸状に形成され、係合部が凹状に形成され、移動方向に対して、係合部は被係合部に対してスライド可能とされ、移動方向とは異なる方向に対して、係合部は、被係合部に当接して、被係合部の移動を規制することを特徴とする請求項１に記載のスイッチ構造。
【請求項３】
室内機のキャビネットに操作スイッチが設けられ、操作スイッチは、請求項１または２に記載のスイッチ構造を有することを特徴とする空気調和機。
【発明の詳細な説明】
【技術分野】
【０００１】
本発明は、空気調和機等のキャビネットに設けられる操作スイッチのスイッチ構造に関する。
【背景技術】
【０００２】
空気調和機の室内機には、応急運転や試運転のための操作スイッチが設けられている。室内機のキャビネットの前面パネルを開けると、操作スイッチのボタンが現れる。ユーザがボタンを押すと、操作スイッチがオンして、所定の運転が実行される。
【０００３】
ここで、操作スイッチのスイッチ構造として、スイッチがキャビネットの内部に設けられ、このスイッチを操作するための操作体がキャビネットから外部に露出している。スイッチは、操作体を押している間は通電し、離すと非通電となる接触式スイッチの１つであるタクトスイッチ（登録商標）とされる。スイッチは制御基板に固定される。制御基板はベース部材に装着される。ベース部材はキャビネットのフレームに装着される。制御基板は、ベース部材およびキャビネットに着脱可能に取り付けられた前面カバーに覆われている。そして、操作体は、スイッチのアクチュエータに接触可能なように、ベース部材に移動自在に取り付けられる。操作体の一部が、前面カバーに形成された操作孔を貫通して、前面カバーの外部に突出している。
【０００４】
上記のような操作体と前面カバーとがそれぞれ別々にベース部材に取り付けられ、操作体の一部が前面カバーから外部に突出したスイッチ構造において、キャビネットの運搬時あるいは設置時等にキャビネットに衝撃が加わる場合がある。このとき、前面カバーまたは操作体はベース部材に対して嵌合あるいはねじ止めされているが、この固定が不十分であると、前面カバーと操作体とが接触する場合がある。すると、操作体がスイッチのアクチュエータから外れる、あるいはスイッチが破損するおそれがある。特に、強い衝撃であれば、その可能性が高まる。
【０００５】
そこで、衝撃や振動の対策として、例えば特許文献１には、操作スイッチが装着されたプリント基板に、カバーに形成された孔に嵌合する凸部が形成され、凸部とカバーの孔との間の隙間が操作体とカバーとの間の隙間より小さく設定されたことが記載されている。これにより、衝撃が加わったとき、カバーが揺れても、カバーは操作体に接触しない。
【先行技術文献】
【特許文献】
【０００６】
【特許文献１】特開２０００−１８４７５３号公報
【発明の概要】
【発明が解決しようとする課題】
【０００７】
上記のスイッチ構造では、衝撃を受けたとき、カバーも操作体も動く。ところで、操作体は、スイッチに対して接触するように配置されている。操作された操作体の動きに応じてスイッチがオンオフする。このように、スイッチと操作体とは別部材とされる。そのため、衝撃が加わると、操作体はスイッチに対して移動する。操作体がスイッチから外れ、スイッチが機能しなくなるといった問題が生じる。
【０００８】
本発明は、上記に鑑み、衝撃を受けても、スイッチの機能を損なわないようにできるスイッチ構造の提供を目的とする。
【課題を解決するための手段】
【０００９】
本発明のスイッチ構造は、ベース部材に固定されたスイッチと、スイッチを操作するための操作体と、スイッチを覆うカバーとを備え、操作体およびカバーは、ベース部材に取り付けられ、カバーは操作体を覆うように設けられ、操作体は、スイッチに対向して配置され、操作体の一部が、外部から操作可能なように、カバーを貫通して外部に突出したものである。そして、操作体とカバーとをつなぐ連係部が設けられる。
【００１０】
このような構造によって、連係部により操作体の動きとカバーの動きとを同調させることにより、操作体だけが移動することを防止することができる。また、連係部は、操作体が操作されたときの移動方向および移動方向とは異なる方向において、操作体とカバーとを当接させて、両者を一体的に移動可能とするようにしてもよい。これにより、カバーを通じてベース部材にも衝撃が加わって、スイッチが揺れるが、操作体およびカバーもベース部材とともに同時に揺れるので、操作体とスイッチとの位置関係は変化しない。したがって、操作体がスイッチに対向した状態を維持することができる。
【００１１】
連係部は、操作体に設けられた被係合部と、カバーに設けられた係合部とからなり、カバーが操作体を覆うように設置されたときに、係合部が被係合部に係合するようにしてもよい。このようにすれば、この係合により、操作体とカバーとは一体的につながれ、衝撃を受けたときの両者の動きが同調する。
【００１２】
スイッチは接触式スイッチとされ、操作体は、スイッチのアクチュエータに接触可能とされ、スイッチのアクチュエータに接触するボタンと、ボタンを移動方向に移動可能に保持する保持体とからなるようにしてもよい。さらに、保持体がベース部材に取り付けられ、保持体に、カバーに向かって被係合部が形成され、カバーに、保持体に向かって係合部が形成されるようにしてもよい。さらに、カバーがベース部材に取り付けられたとき、係合部に被係合部が嵌まり込むようにしてもよい。
【００１３】
被係合部が凸状に形成され、係合部が凹状に形成されるようにしてもよい。なお、被係合部を凹状、係合部を凸状に形成してもよい。また、移動方向に対して、係合部は被係合部に対してスライド可能とされ、移動方向とは異なる方向に対して、係合部は、被係合部に当接して、被係合部の移動を規制するようにしてもよい。
【００１４】
ベース部材にカバーを着脱するとき、カバーは移動方向にスライドされる。カバーが衝撃を受けたとき、カバーおよび操作体が移動方向に揺れても、ボタンはスイッチのアクチュエータから外れることはない。移動方向とは異なる方向に揺れたとき、ボタンだけが他の部材と別々に揺れると、ボタンがスイッチのアクチュエータから外れるが、ボタンは他の部材と同調して揺れるので、ボタンはスイッチのアクチュエータから外れることはなく、ボタンがスイッチに対向した状態を維持することができる。
【００１５】
ボタンは、カバーに形成された操作孔を貫通して外部に突出し、カバーを操作体を覆うように設置するとき、ボタンが操作孔に入るよりも先に被係合部と係合部とが接触するように、被係合部および係合部の高さがそれぞれ設定される。このようにすれば、先に被係合部が係合部に入り込むことにより、操作体に対するカバーの位置合わせが行われ、ボタンがスムーズに操作孔に入っていく。
【００１６】
上記のスイッチ構造を有する操作スイッチは、室内機のキャビネットに設けられる。室内機は、運搬時、設置時などに衝撃を受けることがある。キャビネットが衝撃を受けて揺れても、操作体とスイッチとは同調して揺れるので、操作体はスイッチのアクチュエータに対向する位置からずれることはない。
【発明の効果】
【００１７】
本発明によると、ベース部材に取り付けられた操作体と操作体を覆うように設けられたカバーとは互いに同調して動くので、衝撃が加わっても、カバーと操作体とが接触し、操作体がスイッチに対向しなくなるといったことを防止できる。
【図面の簡単な説明】
【００１８】
【図１】本発明の空気調和機の室内機の斜視図
【図２】室内機の断面図
【図３】前面パネルを取り外した状態の室内機の斜視図
【図４】操作体の断面図
【図５】ベース部材に取り付けられた前面カバーの斜視図
【図６】操作体が取り付けられたベース部材の斜視図
【図７】後面側から見た前面カバーの斜視図
【図８】操作体が取り付けられたベース部材の正面図
【図９】図８のＡ−Ａ断面図
【図１０】ベース部材に取り付けられた前面カバーの正面図
【図１１】図１０のＢ−Ｂ断面図
【図１２】連係部の拡大断面図
【発明を実施するための形態】
【００１９】
本実施形態の空気調和機の室内機を図１、２に示す。室内機は、熱交換器１および室内ファン２を備え、これらがキャビネット３に内装されている。キャビネット３の前面から底面にかけて湾曲面とされる。キャビネット３の上面に吸込口４が形成され、湾曲面に吹出口５が形成される。
【００２０】
キャビネット３の内部には、吸込口４から吹出口５に至る空気通路６が形成され、この空気通路６に熱交換器１と室内ファン２とが配設される。吸込口４と熱交換器１との間に、フィルタ７が配され、吸込口４から吸込んだ室内の空気から塵埃を除去する。フィルタ７は左右２枚とされる。
【００２１】
キャビネット３の湾曲面には、吹出口５を開閉するパネル１０が設けられる。パネル１０は、キャビネット３に開閉自在に支持され、パネル１０を開閉するための開閉部が設けられる。
【００２２】
空気調和機の運転時に、パネル１０が開く。冷房運転時には、パネル１０は、冷風を斜め上方向に導き、冷風が天井に沿って吹き出す。暖房運転時には、パネル１０は、前方に向かって吹き出される温風を押え込み、温風を床面方向に導く。なお、冷房運転の初期時にも、冷風が床面方向に吹き出され、急速冷房が行われる。パネル１０は、運転停止時には閉姿勢となり、吹出口５を覆って、キャビネット３と一体化する。このように、パネル１０は、風向変更板（ルーバ）として機能する。
【００２３】
キャビネット３内において、熱交換器１の下方にドレンパン１１が設けられ、熱交換器１を伝って流れ落ちてくる露を受ける。ドレンパン１１は、吹出口５を形成するドレンパンユニット１２に一体的に形成される。ドレンパンユニット１２には、イオンを発生するイオン発生ユニット１３が装着される。
【００２４】
室内機には、フィルタ７を移動させながら清掃するフィルタ清掃装置が設けられる。フィルタ清掃装置は、フィルタ７から塵埃を除去する回転ブラシ１４と、除去された塵埃を溜めるダストボックス１５とを有する。フィルタ７は、キャビネット３に形成された案内路１６に沿って移動する。
【００２５】
空気調和機では、室内機に対して図示しない室外機が室外に設置されている。室外機には、圧縮機、熱交換器、四方弁、室外ファン等が内装され、これらと室内側の熱交換器１とによって冷凍サイクルが形成される。そして、冷凍サイクルを制御する制御装置が室内機に設けられる。マイコンからなる制御装置は、ユーザの指示および室温や外気温を検出する温度センサ等の各種のセンサの検出信号に基づいて、冷凍サイクルを制御し、冷暖房運転を行う。このとき、制御装置は、冷暖房運転に応じて開閉部を制御し、パネル１０を開閉する。また、制御装置は、定期的にあるいはユーザからの指示により、フィルタ清掃装置を制御して、フィルタ７を移動させながら清掃する。
【００２６】
また、室内機は、応急運転や自己診断を実行するための操作スイッチ２０を備えている。図３に示すように、キャビネット３に設けられた前面パネル２１を開ける、あるいは取り外したとき、操作スイッチ２０が現れる。ユーザが操作スイッチ２０を操作すると、制御装置は、１回押しや長押しといった操作内容に応じて、所定の動作を行う。
【００２７】
操作スイッチ２０は、キャビネット３の左右方向の一側に配置される。キャビネット３の一側に、電源装置、表示ユニットなどの電装部品を収容するための収容スペースが形成され、収容スペースを覆う前面カバー２２がキャビネット３に着脱自在に設けられる。操作スイッチ２０は、収容スペースに設けられる。
【００２８】
図４に示すように、操作スイッチ２０は、外部からの操作によって動作するスイッチ２５と、スイッチ２５を操作するための操作体２６とからなる。操作体２６は、スイッチ２５に対して移動可能とされ、スイッチ２５に対向して配置される。前面カバー２２はスイッチ２５および操作体２６を覆うようにキャビネット３に設置される。操作体２６の一部が前面カバー２２から外部に突出して、操作スイッチ２０は操作可能とされる。スイッチ２５は、接触式スイッチとされ、操作体２６が接触するアクチュエータ２５ａを有する。
【００２９】
ここで、この操作スイッチ２０のスイッチ構造として、図５〜１２に示すように、スイッチ２５と操作体２６と前面カバー２２とがそれぞれ別々にベース部材２７に取り付けられ、操作体２６はスイッチ２５のアクチュエータ２５ａに接触可能とされ、操作体２６の一部が前面カバー２２から外部に突出した構造とされる。ベース部材２７は、キャビネット３にねじによって取り付けられ、ベース部材２７に電源装置、表示ユニット等の電装部品が装着される。前面カバー２２は、ベース部材２７を覆い、ベース部材２７にねじ止めにより着脱可能に取り付けられるとともに、キャビネット３に対して嵌め込まれて取り付けられる。
【００３０】
スイッチ２５は、アクチュエータ２５ａが押されている間は通電（オン）し、アクチュエータ２５ａが押されなくなると非通電（オフ）となる接触式スイッチの１つであるタクトスイッチ（登録商標）とされる。図９，１１に示すように、制御基板２８に半田付けにより固定される。制御基板２８は、ベース部材２７の側壁２７ａに沿って嵌め込まれることによりベース部材２７に取り付けられる。したがって、スイッチ２５は、ベース部材２７に固定される。なお、図８に示すように、制御基板２８は、電装カバー２９によって覆われている。電装カバー２９は、ベース部材２７にねじによって取り付けられる。電装カバー２９に、操作スイッチ２０のための開口が形成され、開口を通じて外部からスイッチ２５に接触可能とされる。
【００３１】
操作体２６は、スイッチ２５のアクチュエータ２５ａに接触するボタン３０と、ボタン３０を移動可能に保持する保持体３１とからなる。棒状のボタン３０は、前後方向に配置され、スイッチ２５の前方に位置する。ボタン３０の後側が筒状に形成され、図９、１１に示すように、ボタン３０の後側にスイッチ２５のアクチュエータ２５ａが嵌め込まれ、ボタン３０がスイッチ２５のアクチュエータ２５ａに接触する。図１０〜１２に示すように、ボタン３０の前側は、前面カバー２２から外部に突出している。前面カバー２２に、操作孔３２が形成され、ボタン３０の前側が操作孔３２を貫通して、操作可能なようにボタン３０の一部が外部に突出する。操作孔３２は、ボタン３０より大きく形成され、ボタン３０は前面カバー２２に接触しない。
【００３２】
図８に示すように、ボタン３０は、前後方向に移動可能なように、保持体３１に一体的に設けられる。保持体３１は、上下方向に形成された平板部３３を有し、平板部３３にボタン３０が前側および後側に向かって突設される。ボタン３０の周囲の平板部３３を切り込むことにより、ボタン３０を前後方向に移動可能に支持する支持部３４が形成される。支持部３４を介して、ボタン３０は保持体３１に連結されており、ボタン３０は保持体３１に一体的に保持される。一対の支持部３４の弾性変形により、ボタン３０は前後方向に移動可能となる。ボタン３０が押されたとき、ボタン３０は後側に向かって移動し、スイッチ２５が押される。ボタン３０の操作が解除されると、支持部３４の弾性力によりボタン３０は前側に向かって移動し、ボタン３０は元に戻る。
【００３３】
保持体３１は、ベース部材２７の側壁２７ａの外面側に取り付けられる。平板部３３の側壁２７ａに対向する左右方向の内面側に爪３５が形成され、爪３５が側壁２７ａに形成された孔３６に引っ掛けられる。また、保持体３１の外面側に、ねじ孔３７が形成され、保持体３１が電装カバー２９にねじ止めされる。これにより、操作体２６は、ベース部材２７に固定される。
【００３４】
上記のスイッチ構造において、ベース部材２７と操作体２６との固定が不十分である、あるいは全面カバー２２の固定が不十分であると、外部から衝撃を受けたときに、前面カバー２２と操作体２６とが接触する場合がある。この対策として、操作体２６と前面カバー２２とをつなぐ連係部が設けられる。連係部は、操作体２６が操作されたときの移動方向である前後方向とは異なる左右方向および上下方向において、操作体２６と前面カバー２２とを当接させて、両者を一体的に移動可能とする。このようにすることで、衝撃を受けたとき、操作体２６の動きと前面カバー２２の動きとを同調させることができる。すなわち、両者を一体的に同時に移動させることができる。
【００３５】
図１２に示すように、連係部は、操作体２６に設けられた被係合部４０と、前面カバー２２に設けられた係合部４１とからなる。図６、８に示すように、被係合部４０は、平板部３３のボタン３０よりも左右方向の外面側に位置する。被係合部４０は、上下左右に延びた十字状に形成され、前方に向かって凸状とされる。被係合部４０の前側は、先細に形成されている。
【００３６】
図７、１１に示すように、係合部４１は、凹状に形成され、四角い枠とされる。前面カバー２２の後面側に、枠が後方に向かって形成される。前面カバー２２が操作体２６を覆うようにベース部材２７に取り付けられた状態において、係合部４１と被係合部４０とは互いに対向する。
【００３７】
キャビネット３の組立に際して、ベース部材２７がキャビネット３にねじ止めにより固定される。次に、前面カバー２２は、操作体２６を覆うようにベース部材２７に嵌め込まれ、ねじで固定される。前面カバー２２がベース部材２７に嵌め込まれるとき、前面カバー２２はベース部材２７に固定された操作体２６とつながる。すなわち、前面カバー２２の係合部４１が操作体２６の被係合部４０を覆う。被係合部４０の前側が先細形状となっているので、前面カバー２２が操作体２６に対してずれていても、係合部４１が被係合部４０にガイドされて、前面カバー２２が操作体２６に対して位置合わせされる。被係合部４０は係合部４１にスムーズに嵌り込む。
【００３８】
ここで、係合部４１および被係合部４０の高さは、前面カバー２２の操作孔３２が形成されている面と操作体２６の平板部３３との間の距離とほぼ同じにされる。したがって、係合部４１の後端が平板部３３に当接し、被係合部４０の前端が前面カバー２２に当接したとき、前面カバー２２がベース部材２７に固定される。なお、図１２に示すように、係合部４１および被係合部４０の高さを前面カバー２２の操作孔３２が形成されている面と操作体２６の平板部３３との間の距離よりも少しだけ小さくしてもよい。この場合、被係合部４０および係合部４０は、それぞれ対向する面との間に隙間ができ、操作体２６に対して前面カバー２２は上下方向に遊びができる。振動等により前面カバーが後側に向かって移動しても、操作体２６に移動せず、ボタン３０により誤ってスイッチ２５が操作されることを防げる。
【００３９】
また、係合部４１の高さと被係合部４０の高さの合計値は、平板部３３からのボタン３０の高さよりも大とされる。なお、係合部４１の高さと被係合部４０の高さとは同じであるのが好ましいが、被係合部４０だけが前面カバー２２に当接するか、あるいは係合部４０だけが平板部３３に当接するかのいずれかとなるように、係合部４１の高さおよび被係合部４０の高さを設定してもよい。
【００４０】
前面カバー２２がベース部材２７に取り付けられるとき、操作体２６のボタン３０は操作孔３２に挿入される。上記のように、被係合部４０および係合部４１の高さがそれぞれ設定されることにより、ボタン３０が操作孔３２に入るよりも先に被係合部４０が係合部４１に入り込む。そのため、前面カバー２２は操作体２６に対して上下左右方向において位置決めされる。この状態で前面カバー２２がベース部材２７に近づくように移動すると、ボタン３０は前面カバー２２に接触することなく操作孔３２を貫通する。このような前面カバー２２の取付時において、前面カバー２２とボタン３０とが接触することにより、ボタン３０がアクチュエータ２５ａから外れることを防止できる。また、スイッチ２５の損傷を防止できる。このように、連係部により、ベース部材２７に対する前面カバー２２の位置合わせを容易に行うことができるとともに、前面カバー２２の取り付けも容易に行うことができる。
【００４１】
前面カバー２２および操作体２６がベース部材２７に固定された状態において、被係合部４０は、上下および左右方向において係合部４１に当接する。係合部４１に対して、上下および左右方向への被係合部４０の移動が規制される。係合部４１と被係合部４０は、前後方向へは移動可能とされる。なお、前面カバー２２がねじ止めされることにより、係合部４１と被係合部４０は、前後方向への移動は規制される。
【００４２】
上記のスイッチ構造では、前面カバー２２、操作体２６およびスイッチ２５を搭載した制御基板２８がそれぞれベース部材２７に独立して取り付けられ、前面カバー２２と操作体２６とは連係部によってつながれている。室内機の運搬時、設置時あるいは設置後に、室内機に衝撃が加わったとき、前面カバー２２を通じてベース部材２７に衝撃が伝わる。同時に、前面カバー２２の係合部４１から被係合部４０を通じて操作体２６にも衝撃が伝わる。前面カバー２２の揺れに同調して、操作体２６も揺れる。したがって、ボタン３０と前面カバー２２とは同じ動きとなり、前面カバー２２あるいは操作体２６がベース部材２２に対して固定が不十分であっても、ボタン３０が前面カバー２２に接触することはない。
【００４３】
また、ベース部材２７も前面カバー２２の揺れに応じて揺れる。ベース部材２７に固定されたスイッチ２５も同じように揺れるので、スイッチ２５とボタン３０とは同調した動きとなる。そのため、ボタン３０とスイッチ２５との位置関係は変化することがなく、ボタン３０がスイッチ２５のアクチュエータ２５ａから外れることはない。したがって、操作スイッチ２０に衝撃が加わっても、スイッチ２５に対するボタン３０の位置ずれを防止することができ、スイッチ２５とボタン３０との位置関係が正常に保たれ、スイッチ機能を維持できる。
【００４４】
なお、本発明は、上記実施形態に限定されるものではなく、本発明の範囲内で上記実施形態に多くの修正および変更を加え得ることは勿論である。上記のスイッチ構造を有する操作スイッチは、空気調和機以外の空気清浄機、加湿機、除湿機に用いてもよい。なお、スイッチは、タクトスイッチに限らず、移動する操作体の接触に応じて動作するリミットスイッチ、タッチスイッチ等の接触式スイッチであってもよい。また、ボタンは、スイッチ側が筒状にされているが、ボタンを棒状に形成して、スイッチ側の端面を平面にしてもよい。
【００４５】
さらに、スイッチを非接触式スイッチとしてもよい。例えば、スイッチとして、フォトインタラプタのような光電センサを用い、操作体は受発光部間に出入りするものとする。あるいは、スイッチを磁気センサとし、操作体を磁性体としたり、スイッチを静電容量センサとし、操作体を導体とする。スイッチが非接触式スイッチの場合、操作体はスイッチに対向して離れて配置される。操作体がスイッチに近づくと、スイッチがオンし、離れると、スイッチがオフする。
【００４６】
被係合部として、ボタンを取り囲むように筒状に形成したものとし、係合部として、被係合部の外面に被さる筒状に形成したものとしてもよい。前面カバーを取り外したとき、ボタンが外部に露出するが、被係合部によりボタンを保護することができ、周囲から異物がボタンに当たって、ボタンが損傷するといったことを防止できる。また、被係合部を操作体を前面カバーに一体化してもよい。すなわち、操作体は、スイッチに接触するように移動可能なボタンとされ、ボタンは保持体により移動可能に保持され、保持体が前面カバーに設けられる。したがって、ボタンは前面カバーに一体的に設けられ、保持体が操作体と前面カバーとをつなぐ連係部となる。
【００４７】
操作体を前面カバーに一体化してもよい。すなわち、操作体は、スイッチに接触するように移動可能なボタンとされ、ボタンは保持体により移動可能に保持され、保持体が前面カバーに設けられる。したがって、ボタンは前面カバーに一体的に設けられ、保持体が操作体と前面カバーとをつなぐ連係部となる。また、スイッチは、制御基板を介さずに直接ベース部材あるいはキャビネットのフレームに取り付けてもよい。さらに、ベース部材は、キャビネットのフレームであってもよい。
【符号の説明】
【００４８】
３    キャビネット
１０    前面パネル
２０    操作スイッチ
２２    前面カバー
２５    スイッチ
２５ａ  アクチュエータ
２６    操作体
２７    ベース部材
２７ａ  側壁
２８    制御基板
３０    ボタン
３１    保持体
３２    操作孔
３３    平板部
３４    支持部
４０    被係合部
４１    係合部
【図１】
0005175946.tif 000002
【図２】
0005175946.tif 000003
【図３】
0005175946.tif 000004
【図４】
0005175946.tif 000005
【図５】
0005175946.tif 000006
【図６】
0005175946.tif 000007
【図７】
0005175946.tif 000008
【図８】
0005175946.tif 000009
【図９】
0005175946.tif 000010
【図１０】
0005175946.tif 000011
【図１１】
0005175946.tif 000012
【図１２】
0005175946.tif 000013